(57)【要約】【課題】従来の蔵書管理システムにでは、自動走行する移動体装置を設置するという、費用的にはスペース的に大きな負担を要するという課題がある。ハンディリーダを使えば、大規模な設備は不要である一方、無線タグの位置に合わせて、且つ、リーダの読み取り速度に合わせて読み取らせることが手で動かすために困難である。【解決手段】そこで、比較的広い範囲から無線タグの信号を読み取るアンテナを備えたハンディリーダを利用する。ただし、棚などに並んで配置している物品に対して広い範囲を読み取るアンテナを当てた場合には、複数の無線タグからの信号が衝突してしまうので衝突（輻輳）した信号をして処理する衝突処理手段を有する。また、無線タグからのデータを重複して読み取ってしまうので、重複して読み取った無線タグのデータを編集する重複データ編集手段を有する。【選択図】  図１
2005008346.tif 000002
【特許請求の範囲】
【請求項１】
無線タグに固有の識別情報を用いて物品の配置を管理する物品配置管理システムであって、
複数の無線タグの識別情報を輻輳して読み取る無線タグ読取手段と、
前記無線タグ読取手段が、物品に付された無線タグから読み取った識別情報と、物品を収納している棚に付された無線タグから読み取った識別情報とによって、物品の配置を管理するデータベース手段とを有する。
【請求項２】
請求項１記載の物品配置管理システムであって、
前記無線タグ読取手段は、物品の配置間隔よりも広い直径のアンテナを含み、操作者が片手で物品にかざして走査するハンディ型の無線タグリーダ端末に含まれ、
前記データベース手段は、前記無線タグリーダ端末と無線回線で接続する処理コンピュータに含まれることを特徴とする物品管理システム。
【請求項３】
請求項１記載の物品配置管理システムであって、
前記無線タグ読取手段が、同一の識別情報を重複して読み取ったとき、重複した識別情報から一つの識別番号を抽出する重複情報編集手段を有することを特徴とする物品管理システム。
【請求項４】
物品の配置を管理する物品配置管理システムであって、
架の棚に配置された物品に付された無線タグから固有の識別情報を読み取る読取手段と、
物品の物品名と、その物品に付された無線タグの識別番号と、その物品の配置情報とを対応付けて管理するデータベース手段と、
物品名を入力する入力手段と、
前記データベース手段において、前記入力手段で入力された目的物品の物品名をキーにして、対応する識別情報と配置情報とを検索して記憶する検索手段と、前記検索手段で記憶した配置情報と前記読取手段が読み取った識別情報とに基づいて操作者に物品の配置を案内する情報を表示する表示手段とを有することを特徴とする物品配置管理システム。
【請求項５】
請求項４記載の物品配置管理システムであって、
前記表示手段は、前記読取手段が、前記検索手段が記憶している識別情報と異なる識別情報を読み取ったときには、前記検索手段が記憶している配置情報への案内を更新して表示し、前記検索手段が記憶している識別情報と同じ識別情報を読み取ったときには、その旨を表示することを特徴とする物品管理システム。
【請求項６】
請求項４記載の物品管理システムであって、
前記配置情報は、前記架の架番号と前記棚の棚番号とを含み、
前記表示手段は、前記検索手段が記憶している架番号と同じ架番号に前記データベースで対応付けられている識別情報を前記読取手段が読み取ったとき、複数の架の配置を案内する画面から、その架番号の架における目的物品の配置を案内する画面へ替えることを特徴とする物品管理システム。
【発明の詳細な説明】
【０００１】
【発明の属する技術分野】
本発明は、架の棚に配置される書籍、カルテ、ディスク、部品、部品箱などの物品を管理するシステムに関し、特に固有識別コード情報を有し電波で動作する無線タグを用いて、該当する物品の管理を容易にするものに関する。
【０００２】
【従来の技術】
従来、物品として例えば書籍類を管理する方法として、特許文献１に記載のように無線タグを書架と書籍に取り付け、自動走行する移動体装置に無線タグ読み取り・書き込み部を取り付けて蔵書を管理するシステムがある。
【０００３】
【特許文献１】特開２００１−１６３４１７号公報
【発明が解決しようとする課題】
しかし、このような蔵書管理システムにでは、自動走行する移動体装置を設置するという、費用的にはスペース的に大きな負担を要するという課題がある。
【０００４】
上記課題を解決するために、ハンディリーダを使えば、大規模な設備は不要である一方、無線タグの位置に合わせて、且つ、リーダの読み取り速度に合わせて読み取らせることが手で動かすために困難である。
【０００５】
【課題を解決するための手段】
そこで、比較的広い範囲から無線タグの信号を読み取るアンテナを備えたハンディリーダを利用する。ただし、棚などに並んで配置している物品に対して広い範囲を読み取るアンテナを当てた場合には、複数の無線タグからの信号が衝突してしまうので衝突（輻輳）した信号をして処理する衝突処理手段を有する。また、一つの無線タグからの信号を複数回にわたって重複して読み取ってしまうので、重複して読み取った無線タグの信号に含まれる識別情報を編集する重複情報編集手段を有する。
【０００６】
また、ハンディリーダに表示部を備え、ハンディリーダが読み取った無線タグの識別情報に基づいて、物品の配置情報の案内表示を更新させることで、操作者の手元できめ細かい物品の配置に関する案内が可能なシステムを提供する。
【０００７】
【発明の実施の形態】
本発明に好適な一実施形態について図１から２４を参照しつつ説明する。なお、本発明はこの実施形態に限定されるものではない。特に、ブロック図の各構成、フローチャートの各ステップ、表示画面は、実施形態に応じて取捨選択、組み替えることが望ましい。
【０００８】
図１は、物品の配置を管理するシステムの一例として、書籍の収納位置を管理する書籍収納管理システムの構成を示すブロック図であり、書架（架）１を複数台配置し、それぞれ書架銘板５に書架番号を表示し、各棚の両端には棚段を表示した無線タグ付の棚銘板（棚名版）６と７を貼り付け、各棚に無線タグ９０を貼付された書籍２をＸ（列）方向とＺ（段）方向とＹ（架）方向に収納している。
なお、棚銘板６，７と書架銘板５のうち、棚銘板の無線タグに棚番号と架番号とを対応付けているため、棚銘板にのみ無線タグを付していれば足りるが書架名板にも書架番号と対応する無線タグを付してもよい。
【０００９】
図２は、無線タグリーダ端末３の外観を示し、アンテナ３１と、指で操作するボタンスイッチであり画面選択等に使用する端末入力部３３と、液晶などの端末表示部３２とを有する。無線タグリーダ端末３は、操作者１０が片手で扱うことのできるハンディ型のリーダである。
【００１０】
図３は、無線タグリーダ端末３の構成を示すブロック図を示し、マイクロプロセッサでプログラムに従って無線タグリーダ端末３を制御するＣＰＵ（端末制御部）３０と、アンテナ３１を介して無線タグ９０と交信し、無線タグの内蔵メモリを読み出す無線タグ読取部２０（書き込みもするリーダライタであってもよい）と、端末のプログラム、データ等を記憶しているＲＡＭやＲＯＭやフラッシュメモリ等の端末記憶部２１と、画像メモリ２４の記憶に基づいて文字、イラスト等や画面情報を表示する端末表示部３２と、ボタンスイッチやタッチパネル等の端末入力部３３と、音声で操作誘導のガイダンスを出したり音を発してキー操作音や無線タグとの交信状態を音で知らせたりする機能を有する音声出力部２６と、処理コンピュータに接続されたクレードル９を介して、プログラム、データ等をインストールするＰＣ通信部２８と、処理コンピュータに接続された無線ユニット８とデータ通信を行う無線通信部２７と、各部に電源を供給する電源部とを有する。
【００１１】
なお、上述の無線タグリーダ端末３に後述する処理コンピュータ４の機能の全部又は一部を搭載してもよい。
【００１２】
図４は、処理コンピュータ４の構成を示すブロック図であり、プログラムを実行してハードウェアを制御するＣＰＵ４１と、図５から図７に示す各種データベースの他にＯＳ、プログラム、ファイル等を格納するハードディスク（ＨＤＤ）４４と、ＨＤＤ４４から読み出したデータや、外部インタフェース４８を介して無線ユニット８から、シリアルインタフェース４９を介してクレードル９から、又は、通信制御部４５を介してＬＡＮから受信したデータや、キーボード・マウス・タッチパネル等の入力部４３によって入力制御部４７に入力したデータや、モニタ制御部４６を介して表示モニタ４２に表示するデータなどをＣＰＵ４０の処理のために一時的に記憶するメモリ４１と、各部に電源を供給する電源部とを有する。
【００１３】
無線ユニット８は、無線タグリーダ端末３と無線で接続し、クレードル９は、無線タグリーダ端末３と有線で接続する。
【００１４】
図５は、ＨＤＤ４４に記憶されている、棚銘板６や７に貼付されているの無線タグ９０の情報と書架番号等を対応付ける書架データベース５０の情報構成を示し、無線タグ９０に固有で無線タグを一意に識別できる無線タグ識別コード情報（識別情報、ＵＩＤ）５１と書架番号５２と棚段番号５３とを含む。
【００１５】
図６は、ＨＤＤ４４に記憶されている、書籍２に貼付されている無線タグのＵＩＤと書籍情報とを対応付ける書籍データベースの情報構成を示し、ＵＩＤ６１と、書籍を一意に導く書籍コード６２、書籍の書籍名６３、書籍の著者名６４、書籍の出版社６５、付加情報６６を含む。
【００１６】
図７は、ＨＤＤ４４に記憶されている、書籍２のＵＩＤと収納情報（配置情報）とを対応付ける書籍収納データベースの情報構成を示し、書籍２が収納されている書架１における書架番号７１、棚段番号７２、列番号７３、書籍２に貼付されている無線タグ９０のＵＩＤ７４と、管理情報７５とを含む。
【００１７】
図８は、無線タグ９０が貼付された書籍２を示す。無線タグの大きさにより、ラベル９３の位置にも内蔵できるが、無線タグリーダ端末３のアンテナ３１の読み取り範囲が広いので、取り付け位置は書籍の背表紙に限定されない。
【００１８】
図９は、無線タグ９０の示し、無線タグ９０は、無線タグアンテナ９１とＵＩＤを記憶しているメモリを含むＩＣチップ９２とを含み、無線タグリーダ端末３のアンテナ３１から発せられた電波により電源供給を受け、決められたプロトコルに従ってＵＩＤを含む信号を発信する。
【００１９】
図１０は、無線タグリーダ端末３を用いて、書架１の棚（書棚）に並べて配置された書籍２から無線タグのＵＩＤを読み取る様子を示す。
【００２０】
アンテナ３１は、人の手によって走査されるため、機械による走査に比べて位置や速度が不定（アバウト）であっても、無線タグ９０の信号を読み取ることのできるよう、やや広い読み取り範囲の物を採用している。ここで、棚に並べられた物品の配置間隔よりも広い読み取り範囲（有効範囲）のアンテナを採用した場合、図１０に示すように、無線タグリーダ端末３のアンテナ２４の読み取り範囲にある書籍２ａ、２ｂ、２ｃの無線タグ９０ａ、９０ｂ、９０ｃから信号を同時に受信することになり得る。
【００２１】
このように、信号が衝突（輻輳）してしまった場合の読み取り処理を図１１のフローチャート及び図２４の重複データの編集例とを用いて説明する。
【００２２】
図１１は、読取処理を示すフローチャートである。
【００２３】
無線タグ９０からＵＩＤを読み出すためにＣＰＵ３０は、無線タグリーダ端末３のアンテナ３１から受付コマンドを発信する（Ｓ１）。
【００２４】
アンテナ３１の交信範囲内にある応答可能な無線タグ９０は、受付コマンドを受けるとＵＩＤを含む信号を発信する。無線タグ読取部２０で無線タグからの信号を受信すると（Ｓ２でＹｅｓ）、その信号が複数かを判断する（Ｓ４）。
【００２５】
信号が単数であると（Ｓ４でＮｏ）、その信号に含まれるＵＩＤを処理する（Ｓ５）。具体的には、後述する「登録」「棚卸」機能を利用しているときに処理コンピュータ４にＵＩＤを送信し、「検索」「返却」を利用しているときに端末記憶部２１に記憶しているＵＩＤと比較する。
【００２６】
無線タグ読取部２０で複数の信号と同時に読み取ると衝突発生と判断し（Ｓ４でＹｅｓ）、ＣＰＵ３０は、衝突読取処理（Ｓ６）を実行する。
【００２７】
衝突読取処理では、アンテナ３１の発生する動作磁界領域にある複数の無線タグが同時に応答を返したとき、これらの信号を読み取るために、受付コマンドのスロット番号を順次切り替え、スロット番号を付して対象を絞った受付コマンドを順次発信し、スロット番号に対応する無線タグが発信した信号を取得する（ＪＩＳ  Ｘ  ６３２３−３（ＩＳＯ／ＩＥＣ  １５６９３−３）の第８項の衝突防止の規定も参照）。スロット番号を所定の番号まで切り替えると衝突読取処理を終了する。これにより、複数の信号を輻輳して読み取ることができ、取得したＵＩＤを処理する（Ｓ５）。
【００２８】
取得したＵＩＤの処理（Ｓ５）が終了すると再度、通常の受付コマンドを発信し（Ｓ１）、信号を受信せず（Ｓ２でＮｏ）、読取終了のとき（Ｓ３でＮｏ）には読取処理を終了する。
【００２９】
前述したように、無線タグリーダ端末３は、読み取り範囲の比較的広いアンテナ３１を用いている。したがって、衝突処理によって読み取ることのできなかった無線タグがあった場合でも、衝突処理後に再度受付コマンドを発信したときに、読み取れなかった無線タグが依然としてアンテナ３１の電波が届く場所にある。すなわち、アンテナ３１の読取範囲を広げることで、衝突処理を実行する時間を稼いでいる。よって、操作者に、同じ物品を繰り返して操作する手間をかけない。
【００３０】
ただし、人手による走査速度が速すぎて、例えば、手で無線タグリーダ端末３を動かす速さが衝突読取処理の速さを超える事態を防ぐために、衝突処理を実行しているときには、端末表示部３２に衝突処理の実行を示す表示をして、操作者の走査の速さを抑制する。無線タグ９０の読み落しを防ぐために、念のため、列を繰り返して走査させることを促し、後述の重複データ処理によって新たな無線タグ９０が検知されないことを確認させてもよい。新たな無線タグ９０が検知された場合には、検知されなくなるまで走査を繰り返すよう促す。
【００３１】
無線タグリーダ端末３からＵＩＤを受信した処理コンピュータ４では、受信したＵＩＤをメモリ４１へ、例えば図２４に例示するテーブルのように記憶する（Ｓ７）。
【００３２】
図２４のテーブルの、ＵＩＤ読取１〜６のカラムは、それぞれ無線タグリーダ端末３がステップＳ１で受付コマンドを発信する毎（又は、ステップＳ７で受信する毎）に取得したＵＩＤをリストしている。このテーブルには、同一のＵＩＤが複数、重複して記憶されている。無線タグリーダ端末３は、アンテナ３１の読取範囲が比較的広く、複数の信号を輻輳して読み取り、また、不定の速さで走査されるため、一つの無線タグからの信号を複数回にわたって重複して読み取ってしまうためである。なお、この図２４では、ＵＩＤ読取ターム（１〜６）毎に管理している例を示しているが、そのように管理することは必須ではない。
【００３３】
そこで、同一のＵＩＤを複数回読み取っている（ＵＩＤが重複している）場合には、読み取った回数分記憶するのではなく、図２４のＵＩＤ編集処理結果のｋラムに示すように一回分だけを抽出（残余のものを排除）する重複データ編集処理を実行する（Ｓ８）。抽出したＵＩＤは、書籍収納データベース７０などに登録する。
【００３４】
また、図２４の列番号のカラムに示す列番号の算出は、例えば、棚銘板６又は７の無線タグの次に読み取った書籍２の無線タグのＵＩＤについて列番号＝１として、読取順に加算して付している。この方法であれば、列番号そのものを示すタグを書架に付す必要がなく、書籍のように厚みの異なる物品の配置を管理する場合に有効である。
【００３５】
以上の構成を用いて、書籍収納管理システムが提供する「登録」、「棚卸」、「検索」、「返却」の各機能において、ＣＰＵ３０又はＣＰＵ４０が実行する処理を図１２から図１５を用いて説明する。
【００３６】
なお、「登録」は、書籍、書架の追加、書籍の入替、整理等の再登録を目的に行うもので、新規に多数の書籍を書架に収納する場合、書架、書籍の配置換えを行う場合に使用する機能であり、「棚卸」は、定期的に書架に収納された書籍の収納状況をデータベースの情報と一致しているかをチェックする目的で行うものである。また、「検索」は、書籍名や著者名を基に書架の書籍の配置を検索する機能で、「返却」は、書籍２に貼付された無線タグ９０のＵＩＤを基に、書籍２を収納すべき書架及び段、列を案内する機能である。
【００３７】
図１２は、書架に収納する書籍の登録機能における処理を示すフローチャートである。
【００３８】
無線タグリーダ端末３で「登録」が選択されると（Ｓ１１）、ＣＰＵ３０は、書架登録開始を処理コンピュータ４に伝える。
【００３９】
処理コンピュータ４は、書架登録を開始し（Ｓ２１）、無線タグリーダ端末３は読み取りする書架を表示し（Ｓ１２）、互いに読み取り書架データ登録処理モード（Ｓ１３、Ｓ２２）に入る。読み取りする書架の表示は必須ではない。
【００４０】
無線タグリーダ端末３は、棚銘板６の無線タグ９０からＵＩＤを読み取って、書架データベース５０と照合し、書架番号５２と棚段番号５３を特定する。
【００４１】
次に、操作者１０の手で走査されかざされながら、特定された棚段番号の棚の書籍２の無線タグ９０からＵＩＤを読み取る。読み取り中には図１６に示すような画面を端末表示部３２に表示し、読み取り中の書架番号、段番号を操作者に知らせる。また、信号の衝突があった場合には、その旨を表示すると、操作者に無線タグリーダ端末３の走査の速さを抑制させる働きがあり読取エラーを予防できる。読み取った順に書籍配置情報として列番号を付加し、棚の最後までくると棚銘板７の無線タグ９０のＵＩＤを読み取ってその棚を読み終わったことを検知し、次に上段又は下段に移動されて、棚銘板及び書籍の無線タグのＵＩＤを順次読み取っていく。図１６の画面には、次に操作者が走査すべき段の方向を表示しており、また、図１７の読取待機中の画面には次に走査すべき段番号を表示して無線タグリーダ端末３の操作を促している。
【００４２】
読み取られたＵＩＤは処理コンピュータ４に送られ、処理コンピュータ４で書籍２のタグのＵＩＤと、列番号と、棚銘板のタグのＵＩＤに対応する書架番号５２と、棚段番号５３とを編集し、書籍収納データベース７０に書籍のＵＩＤごとに記憶する。
【００４３】
図１３は、書架に収納している書籍の棚卸機能における処理を示すフローチャートである。
【００４４】
無線タグリーダ端末３で「棚卸」が選択されると（Ｓ３１）、ＣＰＵ３０は、書架棚卸開始を処理コンピュータ４に伝える。
【００４５】
処理コンピュータ４は書架棚卸を開始し（Ｓ４１）、無線タグリーダ端末３は読み取りする書架を表示し、互いに書架データ棚卸処理モード（Ｓ３３、Ｓ４２）に入る。
【００４６】
ステップＳ１３と同様に書架の書籍に貼付された無線タグのＵＩＤが読み取られ（図１６の代わりに図１８が端末表示部３２に表示）、処理コンピュータ４に送信される。
【００４７】
処理コンピュータ４は、書籍２のタグのＵＩＤと、列番号と、棚銘板のタグのＵＩＤに対応する書架番号５２と、棚段番号５３とを編集し、書籍収納データベース７０と不一致がないかをチェックし、不一致のときには不一致であることを記憶又は出力するとともに、データベース７０を更新する。
【００４８】
図１４は、書架に収納している書籍の検索機能における処理を示すフローチャートである。
【００４９】
処理コンピュータ４から書籍選択を行う場合、入力部４３から入力された書籍名、著者名、出版社名等をキーにして書籍データベース６０で対応するＵＩＤ６１を検索する。
【００５０】
検索されたＵＩＤに対応する書籍情報（書籍コード６２、書籍名６３、著者名６４、出版社６５、付加情報６６等）を項目ごとに表示モニタ４２に表示して、入力部４３による操作者の選択入力を入力制御部４７で受ける（Ｓ６１）。選択された項目に書籍データベース６０で対応するＵＩＤについての収納情報（書籍収納データベース７０に含まれる各情報）を書籍検索情報として無線タグリーダ端末３に送信する（Ｓ６４）。検索された書籍情報が複数ある場合には複数項目を表示し、それらから複数の書籍情報が選択された場合には複数の書籍情報を無線タグリーダ端末３に送信する。書籍検索情報には、書籍の収納データと書架の位置情報等に基づいて操作者が歩く最適な道筋（最短ルート）を計算して付加することも有効である。
【００５１】
無線タグリーダ端末３は、受信した書籍検索情報（目的書籍についての書架番号７１、棚段番号７２、列番号７３、ＵＩＤ７４等）を端末記憶部２１に記憶する。
【００５２】
端末記憶部２１に記憶した書架番号に基づいて、端末記憶部２１の書架１の配置情報から図２３に示すように目的書籍のある書架の位置を表示して操作者を案内する。
【００５３】
端末記憶部２１に記憶した書架番号に対応する無線タグ９０のＵＩＤ（但し、端末記憶部２１に記憶している目的書籍のＵＩＤとは異なる）を無線タグ読取部２０で書籍２又は棚銘板６、７から読み取ると、ＣＰＵ３０は、図２３の画面に替えて、図１９に示す画面を表示してその書架における目的書籍の位置を案内する。
【００５４】
また、走査しているときに読み取った書籍２のタグのＵＩＤ（端末記憶部２１に記憶している目的書籍のＵＩＤとは異なる）から、書籍収納データベースを検索してその書籍の収納情報を読み出して図１９の画面に端末３の現在位置として表示して操作者を案内する。
【００５５】
また、読み取ったＵＩＤに対応する収納情報と検索目的書籍の収納情報とを比較して、目的書籍の方向（アンテナ３１を走査すべき方向）を「右」や「上」などとして図１９の画面に表示して操作者を案内してもよい。
【００５６】
このように、ハンディリーダが読み取った無線タグの識別情報に基づいて、物品の配置情報の案内表示を更新させることで、操作者の手元できめ細かい物品の配置に関する案内が可能になる。
【００５７】
操作者が書籍２を無線タグリーダ端末３で走査して、無線タグ読取部２０が目的書籍のＵＩＤを検知すると、図２０の画面を表示して操作者に知らせる。
【００５８】
図２０の画面を表示しているとき端末入力部３３で“ＯＫ”が選択さると次の目的書籍がある場合にはその案内に移り、ない場合には検索を終了する。
【００５９】
なお、処理コンピュータ４を用いて書籍選択するように説明したが、無線タグリーダ端末３から無線で処理コンピュータ４の書籍収納データベース７０にアクセスして無線タグリーダ端末３から書籍名等を入力し、項目を選択させることも更に利便性を高める。
【００６０】
図１５は、書架に収納していた書籍の返却機能における処理を示すフローチャートである。
【００６１】
無線タグリーダ端末３で返却を選択し、返却したい書籍２の無線タグ９０からＵＩＤを読み取って処理コンピュータ４に送信する（Ｓ７０）。
【００６２】
ＵＩＤを受信した処理コンピュータ４は、そのＵＩＤをキーにして書籍収納データベース７０を検索し、対応する収納情報を読み出して（Ｓ８１）、書籍返却情報として無線タグリーダ端末３に送信する（Ｓ８２）。ここでステップＳ５３と同様に最短ルートを計算して送信してもよい。
【００６３】
書籍返却情報を受信した無線タグリーダ端末３は、ステップＳ５３と同様に、端末表示部３２へ、図２３の画面を表示し、図１９の代わりに図２１を表示し、図２０の代わりに図２２の画面を表示して操作者を案内する（Ｓ７３）。なお、返却では検索と異なり、書架に収納されている書籍の代わりに返却位置を目的としているが、その位置は、直接的に特定できないので、図２２の画面が示すように例えばその位置の隣の書籍を間接的な目標として案内している。
【００６４】
なお、図１２から図１５の処理において画面表示とともに音声案内を併用するとより利便性がさらに向上する。
【００６５】
また、無線タグリーダ端末３から処理コンピュータ４へは、無線タグ９０のデータを読み取る毎に送信することがリアルタイム処理を実現して望ましいが、無線タグリーダ端末３に無線タグ９０のデータを記憶しておき、クレードルから一括して処理コンピュータ４に送信してもよい。
【００６６】
書籍収納管理システムは、書店、図書館、個人の蔵書についてそれぞれ利用可能である。
【００６７】
さらに、書籍の代わりに棚に配置する物品として、レンタルビデオ、音楽ＣＤ、映画ＤＶＤ、病院の患者のカルテ、倉庫の部品箱などについての配置の管理にも適用できる。
【００６８】
【発明の効果】
手で走査しても有効に無線タグの情報を読み取って管理することができる。
【００６９】
また、操作者の手元で、ハンディリーダが読み取っている情報に応じて物品の配置に関する案内情報を得ることができる。
【図面の簡単な説明】
【図１】書籍収納管理システム構成図
【図２】無線タグリーダ端末ブロック図
【図３】無線タグリーダ端末外観図
【図４】処理コンピュータブロック図
【図５】書架データベース
【図６】書籍データベース
【図７】書籍収納データベース
【図８】書籍外観図
【図９】無線タグ外観図
【図１０】無線タグ読み取り状態図
【図１１】無線タグ識別コード情報読取処理フロー図
【図１２】書架データ登録フロー図
【図１３】書架データ棚卸処理フロー図
【図１４】書籍収納検索処理フロー図
【図１５】書籍返却検索処理フロー図
【図１６】書架登録読取中画面表示
【図１７】書架登録次の読取指示画面表示
【図１８】書架棚卸読取中画面表示
【図１９】書籍検索誘導画面表示
【図２０】書籍検索確認画面表示
【図２１】書籍検索誘導画面表示
【図２２】書籍返却確認画面表示
【図２３】書籍検索書架位置画面表示
【図２４】複数の無線タグの読み取りと重複データの編集処理
【符号の説明】
１…書架、２…書籍、３…無線タグリーダ端末、４…処理コンピュータ、６…棚銘板、７…棚銘板、８…無線ユニット、９…クレードル、１０…操作者、３１…アンテナ、９０…無線タグ。
【図１】
2005008346.tif 000003
【図２】
2005008346.tif 000004
【図３】
2005008346.tif 000005
【図４】
2005008346.tif 000006
【図５】
2005008346.tif 000007
【図６】
2005008346.tif 000008
【図７】
2005008346.tif 000009
【図８】
2005008346.tif 000010
【図９】
2005008346.tif 000011
【図１０】
2005008346.tif 000012
【図１１】
2005008346.tif 000013
【図１２】
2005008346.tif 000014
【図１３】
2005008346.tif 000015
【図１４】
2005008346.tif 000016
【図１５】
2005008346.tif 000017
【図１６】
2005008346.tif 000018
【図１７】
2005008346.tif 000019
【図１８】
2005008346.tif 000020
【図１９】
2005008346.tif 000021
【図２０】
2005008346.tif 000022
【図２１】
2005008346.tif 000023
【図２２】
2005008346.tif 000024
【図２３】
2005008346.tif 000025
【図２４】
2005008346.tif 000026